(57)【要約】本発明は、霊長類動物の多能性幹細胞の細胞群を、造血系細胞への分化誘導に適した条件で培養する、ＣＤ３４陰性細胞が含まれる細胞群を得る第一工程と、前記第一工程で得た細胞群の少なくとも一部を前記霊長類動物とは異なる動物の胎仔に移植する第二工程と、前記胎仔が出生に至って得られた仔動物を育成させて得た動物の体内から前記霊長類動物の造血系細胞を得る第三工程と、を有することを特徴とする、霊長類動物の造血系細胞の作製方法に関する。【特許請求の範囲】
【請求項１】
霊長類動物の多能性幹細胞の細胞群を、造血系細胞への分化誘導に適した条件で培養する、ＣＤ３４陰性細胞が含まれる細胞群を得る第一工程と、
前記第一工程で得た細胞群の少なくとも一部を前記霊長類動物とは異なる動物の胎仔に移植する第二工程と、
前記胎仔が出生に至って得られた仔動物を育成させて得た動物の体内から前記霊長類動物の造血系細胞を得る第三工程と、
を有する、霊長類動物の造血系細胞の作製方法。
【請求項２】
前記第一工程において、霊長類動物の多能性幹細胞の細胞群を、造血系細胞への分化誘導に適した条件で２〜１２日間培養する、請求項１に記載の霊長類動物の造血系細胞の作製方法。
【請求項３】
前記第一工程において、霊長類動物の多能性幹細胞の細胞群を、造血系細胞への分化誘導に適した条件でＢｒａｃｈｙｕｒｙ、ＰＤＧＦＲα、Ｅｔｖ２、又は、Ｓｃｌの遺伝子又はタンパク質を発現する細胞が出現するまで培養する、請求項１又は２に記載の霊長類動物の造血系細胞の作製方法。
【請求項４】
前記第一工程の前に多能性幹細胞に対して遺伝子改変処理する工程を有する、請求項１〜３のいずれか１項に記載の霊長類動物の造血系細胞の作製方法。
【請求項５】
前記霊長類動物とは異なる動物が、ウシ、ブタ、ウマ、ヒツジ又は、ヤギから選択される、請求項１〜４のいずれか１項に記載の霊長類動物の造血系細胞の作製方法。
【請求項６】
前記第二工程において、前記第一工程で得た細胞群の少なくとも一部を前記霊長類動物とは異なる動物の胎仔の造血発生器官に移植する、請求項１〜５のいずれか１項に記載の霊長類動物の造血系細胞の作製方法。
【請求項７】
前記霊長類動物がヒトである、請求項１〜６のいずれか１項に記載の霊長類動物の造血系細胞の作製方法。
【請求項８】
前記多能性幹細胞がｉＰＳ細胞である、請求項１〜７のいずれか１項に記載の霊長類動物の造血系細胞の作製方法。
【請求項９】
前記胎仔が出生に至って得られた仔動物に対して、前記キメラ非ヒト動物とは異種の動物のリンパ球を投与する、請求項１〜８のいずれか１項に記載の霊長類動物の造血系細胞の作製方法。
【請求項１０】
前記第二工程の前に、前記胎仔の内因性の造血系細胞の増殖を抑制する工程をさらに含む、請求項１〜９のいずれか１項に記載の霊長類動物の造血系細胞の作製方法。
【請求項１１】
前記胎仔の内因性の造血細胞の増殖を抑制する工程において、化学療法剤若しくは免疫抑制剤を前記胎仔に投与する、または、放射線を前記胎仔に照射する、請求項１０に記載の霊長類動物の造血系細胞の作製方法。
【請求項１２】
前記胎仔の内因性の造血細胞の増殖を抑制する工程において、ブスルファンを前記胎仔に投与する、請求項１１に記載の霊長類動物の造血系細胞の作製方法。
【請求項１３】
霊長類動物の多能性幹細胞の細胞群を、造血系細胞への分化誘導に適した条件で培養する、ＣＤ３４陰性細胞が含まれる細胞群を得る第一工程と、
前記第一工程で得た細胞群の少なくとも一部を前記霊長類動物とは異なる動物の胎仔に移植する第二工程と、
前記胎仔が出生に至って得られた仔動物を育成させて前記霊長類動物の造血系細胞を生産するキメラ動物を得る第三工程と、
を有する、霊長類動物の造血系細胞を生産するキメラ非ヒト動物の作製方法。
【請求項１４】
前記第一工程において、造血系細胞への分化誘導に適した条件で２〜１２日間培養する、請求項１３に記載のキメラ非ヒト動物の作製方法。
【請求項１５】
前記第一工程の前に多能性幹細胞に対して遺伝子改変処理する工程を有する、請求項１３又は１４に記載のキメラ非ヒト動物の作製方法。
【請求項１６】
霊長類動物の血液系細胞を生産する、前記霊長類動物とは異種の体細胞を有する、キメラ非ヒト動物。
【請求項１７】
請求項１３〜１５のいずれか１項に記載の方法により作製された、請求項１６に記載のキメラ非ヒト動物。
【請求項１８】
請求項１６又は１７に記載のキメラ非ヒト動物から得られた造血系細胞。
【請求項１９】
霊長類動物由来の造血系細胞を有するキメラ非ヒト動物に対して、前記キメラ非ヒト動物とは異種の動物のリンパ球を投与する工程を有する、キメラ非ヒト動物の体内の造血系細胞について前記霊長類動物由来の造血系細胞の比率を高める方法。
【請求項２０】
前記リンパ球が、ＭＨＣ非拘束性リンパ球である、請求項１９に記載の方法。
【請求項２１】
前記リンパ球が、ＮＫ細胞、γδＴ細胞、又はＮＫＴ細胞である、請求項２０に記載の方法。
【請求項２２】
前記キメラ非ヒト動物は、ウシ、ブタ、ウマ、ヒツジ又はヤギに対してヒト、類人猿又はサル由来の造血幹細胞を移植して得たものである、請求項１９〜２１のいずれか１項に記載の方法。
【請求項２３】
請求項１９〜２２のいずれか１項に記載の方法に対し、前記キメラ動物から造血系細胞を得る工程をさらに有する、造血系細胞の作製方法。
【発明の詳細な説明】
【技術分野】
【０００１】
本発明は、霊長類動物の造血系細胞の供給のための技術に関する。より詳しくは、本発明は、霊長類動物の多能性幹細胞から造血系細胞を作製する方法、並びに、前記造血系細胞を生産するキメラ非ヒト動物及びその作製方法に関する。
【背景技術】
【０００２】
現在の再生医療の臨床現場において、再生不良性白血病等の疾患を有する患者に対して、骨髄移植、末梢血幹細胞移植、臍帯血幹細胞移植等に代表される造血幹細胞移植を行ない、患者の体内において、移植造血幹細胞から血液細胞を産生させることによる治療が行なわれている。しかしながら、造血幹細胞移植に必要な、移植対象の患者に適合する造血幹細胞の安定供給が難しい。そこで、造血幹細胞の安定供給を図るため、ブタ胎仔に経子宮的にヒト造血幹細胞を移植し、ブタ体内でヒトの造血前駆細胞を増幅させることが試みられたが、ブタ体内におけるヒト造血細胞の検出はきわめて微量であった（非特許文献１）。【０００３】
造血幹細胞の安定的な供給のため、胚性幹細胞（以下、ＥＳ細胞ともいう）や人工多能性幹細胞（以下、ｉＰＳ細胞という）などの多能性幹細胞から必要細胞をｉｎ  ｖｉｔｒｏで分化させることについての研究が行なわれている。【０００４】
ｉｎ  ｖｉｔｒｏでの多能性幹細胞から血液系細胞への分化の試みの例として、造血幹細胞の自己再生に関連するホメオティックセレクター遺伝子であるＨｏｘＢ４を導入したマウスＥＳ細胞から、最終造血幹細胞の表現型を示す細胞へ分化させる技術（非特許文献２）、マウスＥＳ細胞から造血前駆細胞へ分化させる技術（非特許文献３〜５）、アカゲザルＥＳ細胞を、マウスＳ１７ストロマ細胞上で培養して、造血幹細胞に分化させる技術（非特許文献６）などが挙げられる。しかしながら、ヒトｉＰＳ細胞からの造血幹細胞分化は未だに困難で、その実現は血液学の愁眉の課題である。【０００５】
そこで、近年、霊長類動物の胚性幹細胞を、造血系細胞の分化誘導に適した条件で維持し、得られた細胞を妊娠ヒツジの子宮内の胎仔に移植し、該胎仔を生育させ、出生に至った仔ヒツジを生育させて得られたヒツジから霊長類動物の造血系細胞を得る、霊長類動物の造血系細胞の作製方法が検討されている（特許文献１、２）。そして、ヒトｉＰＳ細胞に最適化された、より効率のよい造血系細胞の作製方法が求められている。
【先行技術文献】
【特許文献】
【０００６】
【特許文献１】国際公開第２００５／０１９４４１号
【特許文献２】特開２００４−３５０６０１号公報
【非特許文献】
【０００７】
【非特許文献１】中内啓光、他１名、“３．ヒト血液キメラブタの樹立とその応用”、「第１１７回日本医学会シンポジウム記録集  幹細胞と細胞療法−［ＩＩＩ］組織・器官幹細胞：臨床応用への基盤開発（２）２０００年８月４日〜６日開催、ｐ９９−１０６［ｏｎｌｉｎｅ］、インターネットＵＲＬ：ｈｔｔｐ：／／ｗｗｗ．ｍｅｄ．ｏｒ．ｊｐ／ｊａｍｓ／ｓｙｍｐｏｓｉｕｍ／ｋｉｒｏｋｕ／１１７／ｐｄｆ／１１７０９９．ｐｄｆ
【非特許文献２】Ｍｉｃｈａｅｌ  Ｋｙｂａ  ｅｔ  ａｌ．，Ｃｅｌｌ，１０９，Ａｐｒｉｌ  ５，２００２，ｐ．２９−３７
【非特許文献３】Ｂｒｉｔｔ  Ｍ．Ｊｏｈａｎｓｓｏｎ  ｅｔ  ａｌ．，Ｍｏｌｅｃｕｌａｒ  ａｎｄ  Ｃｅｌｌｕｌａｒ  Ｂｉｏｌｏｇｙ，１５，Ｎｏ．１，Ｊａｎｕａｒｙ  １９９５，ｐ．１４１−１１
【非特許文献４】仲野徹著、“５．胚性幹細胞からの血液細胞への分化”、横田崇ら編、実験医学増刊「幹細胞研究の最前線と再生医療への応用発生・分化メカニズムの解明、そして臨床へ」２００１年９月２５日発行、第１９巻、第１５号、ｐ１９６６−１９７１
【非特許文献５】Ｔｏｒｕ  Ｎａｋａｎｏ  ｅｔ  ａｌ．，Ｓｃｉｅｎｃｅ，２６５，Ａｕｇｕｓｔ  １９，１９９４，ｐ．１０９８−１１０１
【非特許文献６】Ｆｅｉ  Ｌｉ  ｅｔ  ａｌ．，Ｂｌｏｏｄ，９８，Ｊｕｌｙ  １５，２００１，ｐ．３３５−３４２
【発明の概要】
【発明が解決しようとする課題】
【０００８】
本発明は、ヒトをはじめとする霊長類動物の造血系細胞を効率的に供給することを課題とする。
【課題を解決するための手段】
【０００９】
本発明の一態様は、
霊長類動物の多能性幹細胞の細胞群を、造血系細胞への分化誘導に適した条件で培養する、ＣＤ３４陰性細胞が含まれる細胞群を得る第一工程と、
前記第一工程で得た細胞群の少なくとも一部を前記霊長類動物とは異なる動物の胎仔に移植する第二工程と、
前記胎仔が出生に至って得られた仔動物を育成させて得た動物の体内から前記霊長類動物の造血系細胞を得る第三工程と、
を有する、霊長類動物の造血系細胞の作製方法である。【００１０】
本発明において、前記第一工程において、霊長類動物の多能性幹細胞の細胞群を、造血系細胞への分化誘導に適した条件で２〜１２日間培養してもよい。
本発明において、前記第一工程において、霊長類動物の多能性幹細胞の細胞群を、造血系細胞への分化誘導に適した条件でＢｒａｃｈｙｕｒｙ、ＰＤＧＦＲα、Ｅｔｖ２、又は、Ｓｃｌの遺伝子又はタンパク質を発現する細胞が出現するまで培養してもよい。【００１１】
本発明において、前記第一工程の前に多能性幹細胞に対して遺伝子改変処理する工程を有してもよい。
本発明において、前記霊長類動物とは異なる動物は、ウシ、ブタ、ウマ、ヒツジ又は、ヤギから選択してもよい。【００１２】
本発明において、前記第二工程において、前記第一工程で得た細胞群の少なくとも一部を前記霊長類動物とは異なる動物の胎仔の造血発生器官に移植してもよい。
本発明において、前記霊長類動物はヒトでもよい。【００１３】
本発明において、前記多能性幹細胞はｉＰＳ細胞でもよい。
本発明において、前記胎仔が出生に至って得られた仔動物に対して、前記キメラ非ヒト動物とは異種の動物のリンパ球を投与してもよい。【００１４】
本発明において、前記第二工程の前に、前記胎仔の内因性の造血系細胞の増殖を抑制する工程をさらに含んでもよい。
本発明において、前記胎仔の内因性の造血細胞の増殖を抑制する工程において、化学療法剤若しくは免疫抑制剤を前記胎仔に投与してもよく、または、放射線を前記胎仔に照射してもよい。【００１５】
本発明において、前記胎仔の内因性の造血細胞の増殖を抑制する工程において、ブスルファンを前記胎仔に投与してもよい。
本発明の他の一態様は、
霊長類動物の多能性幹細胞の細胞群を、造血系細胞への分化誘導に適した条件で培養する、ＣＤ３４陰性細胞が含まれる細胞群を得る第一工程と、
前記第一工程で得た細胞群の少なくとも一部を前記霊長類動物とは異なる動物の胎仔に移植する第二工程と、
前記胎仔が出生に至って得られた仔動物を育成させて前記霊長類動物の造血系細胞を生産するキメラ動物を得る第三工程と、
を有する、霊長類動物の造血系細胞を生産するキメラ非ヒト動物の作製方法である。【００１６】
本発明において、前記第一工程において、造血系細胞への分化誘導に適した条件で２〜１２日間培養してもよい。
本発明において、前記第一工程の前に多能性幹細胞に対して遺伝子改変処理する工程を有してもよい。【００１７】
本発明の他の一態様は、
霊長類動物の血液系細胞を生産する、前記霊長類動物とは異種の体細胞を有する、キメラ非ヒト動物である。【００１８】
キメラ非ヒト動物は、上記の霊長類動物の造血系細胞を生産するキメラ非ヒト動物の作製方法により作製されてもよい。
本発明の他の一態様は、
上記のキメラ非ヒト動物から得られた造血系細胞である。【００１９】
本発明の他の一態様は、
霊長類動物由来の造血系細胞を有するキメラ非ヒト動物に対して、前記キメラ非ヒト動物とは異種の動物のリンパ球を投与する工程を有する、キメラ非ヒト動物の体内の造血系細胞について前記霊長類動物由来の造血系細胞の比率を高める方法である。【００２０】
前記リンパ球が、ＭＨＣ非拘束性リンパ球であることが好ましい。
前記リンパ球が、ＮＫ細胞、γδＴ細胞、又はＮＫＴ細胞であることが好ましい。
前記キメラ非ヒト動物は、ウシ、ブタ、ウマ、ヒツジ又はヤギに対してヒト、類人猿又はサル由来の造血幹細胞を移植して得たものであってもよい。【００２１】
本発明において、前記キメラ動物から造血系細胞を得る工程をさらに有してもよい。
本発明の他の一態様は、
本発明の作製方法によって得られた造血系細胞を前記霊長類動物に投与する工程を有する、霊長類動物の造血系細胞を用いた治療方法である。【００２２】
本発明の他の一態様は、
霊長類動物の多能性幹細胞の細胞群を、造血系細胞への分化誘導に適した条件で培養する、ＣＤ３４陰性細胞が含まれる細胞群を得る第一工程と、
前記第一工程で得た細胞群の少なくとも一部を前記霊長類動物とは異なる動物の胎仔に移植する第二工程と、
前記胎仔が出生に至って得られた仔動物を育成させて得た動物の体内から前記霊長類動物の造血系細胞を得る第三工程と、
前記造血系細胞を前記霊長類動物に投与する第四工程と、
を有することを特徴とする、霊長類動物の造血系細胞を用いた治療方法である。【００２３】
前記第一工程の前に多能性幹細胞に対して遺伝子改変処理する工程を有してもよい。
本発明において、前記治療方法の治療疾患は、再生不良性貧血、白血病、免疫不全症（Ｘ−ＳＣＩＤ、ＺＡＰ７０欠損症、Ｊａｋ３欠損症、ＡＤＡ欠損症、慢性肉芽腫症、Ｂｌｏｏｍ症候群、Ｗｉｓｃｏｔｔ−Ａｌｄｒｉｃｈ症候群等）、心筋梗塞等の虚血性心疾患、閉塞性動脈硬化症、バージャー病、及びその他遺伝性疾患（免疫不全症、Ｆａｎｃｏｎｉ貧血、血友病、サラセミア、鎌状赤血球貧血症、白質ジストロフィー，ムコ多糖症等）のいずれかであってもよい。
【発明の効果】
【００２４】
本発明の方法により、ヒトをはじめとする霊長類動物の多能性幹細胞から造血系細胞をより効率的に作製することができる。
【図面の簡単な説明】
【００２５】
【図１】図１は、試験管内で培養した場合の、ヒトｉＰＳ細胞における、ＰＤＧＦＲα（中胚葉系マーカー）、ＣＤ３４（造血幹細胞マーカー）、ＣＤ４３（汎血球マーカー）及びＣＤ４５（汎血球マーカー）のＦＡＣＳ解析の結果を示す図である。
【図２】図２は、試験管内で培養したヒトｉＰＳ細胞内では、Ｂｒａｃｈｙｕｒｙ、Ｅｔｖ２、Ｓｃｌ、Ｒｕｎｘ、ＰＤＧＦＲα及びＣＤ３４が発現するのに対し、ＣＤ４３及びＣＤ４５は発現しないことを説明する図である。
【図３】図３は、細胞群移植２ヶ月後のヒツジ胎仔の肝臓内及び骨髄内の、活性化ＮｏｔｃｈとＣＤ４５の存在を示す図である。
【図４】図４は、ヒト細胞群移植１ヶ月後のヒツジ胎仔の肝臓、及び細胞群移植２ヶ月後のヒツジ胎仔の骨髄の蛍光顕微鏡像である。
【図５】図５は、実施例１で、ｉＰＳ細胞を分化用培地で培養した後のヒト細胞群をＦＡＣＳで解析した結果（右図）と、ｉＰＳ細胞を分化用培地で培養した後のヒト細胞群について、ＣＤ３４に対する磁気ビーズ結合モノクローナル抗体を用いたＣＤ３４発現細胞の除去後にＦＡＣＳにより解析した結果（左図）を示す図である。
【図６】図６は、ヒト細胞群を移植したヒツジに対してヒトリンパ球を静脈内投与した場合の、ヒツジ体内のヒト造血比率の変動を示すグラフである。
【発明を実施するための形態】
【００２６】
本願発明者らは、多能性幹細胞を造血系細胞の分化誘導に適した条件で短期間培養し、得られた細胞群を、前記霊長類動物とは異なる動物の胎仔体内に移植することにより、前記霊長類動物の多能性幹細胞から、移植医療に使用することができる造血系細胞を効率的に作製することができることを見いだし、本発明を完成させるに至った。
Ｉ．霊長類動物の造血系細胞の作製方法
本発明は、１つの態様において、
霊長類動物の多能性幹細胞の細胞群を、造血系細胞への分化誘導に適した条件で培養する、ＣＤ３４陰性細胞が含まれる細胞群を得る第一工程と、前記第一工程で得た細胞群の少なくとも一部を前記霊長類動物とは異なる動物の胎仔に移植する第二工程と、前記胎仔が出生に至って得られた仔動物を育成させて得た動物の体内から前記霊長類動物の造血系細胞を得る第三工程と、を有することを特徴とする、霊長類動物の造血系細胞の作製方法を提供する。
【００２７】
本発明において「造血系細胞」とは、造血幹細胞や、該造血幹細胞から分化してできる細胞群を意図する。造血幹細胞から分化してできる細胞群とは、限定されるわけではないが、例えば、赤芽球、骨髄球、巨核球系、リンパ球等の性質を有する細胞等である。
【００２８】
本発明で得られた造血系細胞は、本質的に霊長類動物に由来する細胞であり、霊長類動物への移植等に好適である。本発明において、ヒト細胞を動物への移植に用いれば、ヒトに移植可能な血液細胞を作ることができる。ｉＰＳ細胞を用いれば「自分の」血液細胞をもつ動物を作ることができる。
【００２９】
本発明の造血系細胞を、造血系の構築若しくは造血細胞の作用を必要とする疾患又は状態の部位に移植することにより、治療効果を発揮させることができる。したがって、本発明は、別の側面では、造血系の構築若しくは造血細胞の作用を必要とする疾患又は状態の部位に、本発明の造血系細胞を治療上有効量供給することを特徴とする、造血系の構築あるいは造血細胞の作用を必要とする疾患の治療方法に関する。さらに別の側面では、本発明は、造血系の構築若しくは造血細胞の作用を必要とする疾患の治療のための本発明の造血系細胞の使用に関する。
【００３０】
（１）第一工程「霊長類動物の多能性幹細胞の細胞群を、造血系細胞への分化誘導に適した条件で培養する、ＣＤ３４陰性細胞が含まれる細胞群を得る工程」
この方法において、まず、当該技術分野における従来からの知見に従って、霊長類動物の多能性幹細胞から、ＣＤ３４陰性細胞を含む霊長類動物の細胞群を、ｉｎ  ｖｉｔｒｏにおいて形成させる。
【００３１】
本発明の造血系細胞の作製方法は、主としてヒトにおいて血液系の疾患を治療するために使用するヒトの造血系細胞を効率的に作製することを目的とした方法である。
造血系細胞を作製するための原料細胞は、霊長類動物の多能性幹細胞であれば生物種は特に限定されない。好ましくは、ヒト、類人猿（チンパンジー、ゴリラ又はオランウータン）、もしくはサル（ヒヒ、マカクサル、マーモセット等）などに由来する。より好ましくは、ヒトに由来する。
【００３２】
本発明において「多能性幹細胞」とは、あらゆる組織の細胞へと分化する能力（多分化能）を有する幹細胞の総称することを意図する。本明細書において後述する実施例ではｉＰＳ細胞を用いて検討を行っているが、本発明の方法に使用できる多能性幹細胞には、ｉＰＳ細胞のみに限らず、哺乳動物の生体臓器や組織の細胞、骨髄細胞、血液細胞、更には胚や胎児の細胞等に由来する、胚性幹細胞に類似した形質を有する全ての多能性幹細胞が含まれる。この場合、胚性幹細胞と類似の形質とは、胚性幹細胞特異的な遺伝子の発現や内胚葉、中胚葉、外胚葉の全ての胚葉への分化能を有するといった、胚性幹細胞に特異的な細胞生物学的性質をもって定義することができる。
【００３３】
限定されるわけではないが、本発明の方法で増殖させることができる細胞の具体例としては、例えば、人工多能性幹細胞（ｉＰＳ細胞）、胚性幹細胞（ＥＳ細胞）、胚性生殖幹細胞（ＥＧ細胞）、生殖幹細胞（ＧＳ細胞）等が挙げられる。なお本発明における多能性幹細胞として、ＥＳ細胞とｉＰＳ細胞が好ましい。ｉＰＳ細胞は倫理的な問題もない等の理由により特に好ましい。多能性幹細胞としては公知の任意のものを使用可能であるが、例えば、国際公開ＷＯ２００９／１２３３４９（ＰＣＴ／ＪＰ２００９／０５７０４１）に記載の方法により増殖させた多能性幹細胞を使用可能である。
【００３４】
本明細書における「人工多能性幹細胞」及び「ｉＰＳ細胞」とは、体細胞へＯｃｔ３／４、Ｓｏｘ２、Ｋｌｆ４、ｃ−Ｍｙｃなどの転写因子の遺伝子を導入することにより得られた、ＥＳ細胞に似た分化多能性を有する細胞を意味するものである。よって、ｉＰＳ細胞もＥＳ細胞と同様に、分化多能性を保持したまま無制限に増やすことができる（Ｃｅｌｌ，  １２６，  ｐｐ．６６３−６７６，  ２００６；  Ｃｅｌｌ，  １３１，  ｐｐ．８６１−８７２，  ２００７；  Ｓｃｉｅｎｃｅ，  ３１８，  ｐｐ．１９１７−１９２０，  ２００７）。樹立されたヒトｉＰＳ細胞株は、例えば、京都大学、理化学研究所より入手可能である。
【００３５】
あるいは、ｉＰＳ細胞を以下の文献の記載を参考にして作製してもよい。例えば、人工多能性幹細胞は、京都大学中山伸弥教授のグループに係る文献（Ｃｅｌｌ，  １３１，  ｐｐ．８６１−８７２，  ２００７；  Ｎａｔ，Ｂｉｏｔｅｃｈｎｏｌ．  ２６，  １０１−１０６，  ２００８）や、Ｗｉｓｃｏｎｓｉｎ大学のＴｈｏｍｓｏｎのグループに係る文献（Ｓｃｉｅｎｃｅ  ３１８，  １９１７−１９２０，２００７）に記載された方法に従って作製することができる。
【００３６】
具体的には、任意の体細胞に対して、Ｏｃｔ３／４、Ｓｏｘ２、Ｋｌｆ４、ｃ−Ｍｙｃ、Ｎａｎｏｇ、ＬＩＮ２８のうち、すくなくとも一つ以上の遺伝子を導入し、多能性幹細胞に特異的な遺伝子やタンパク質の発現を検出し、これらを選別することによって作製することができる。
【００３７】
この様にして作製したｉＰＳ細胞は、ＥＳ細胞と同様に、増殖不活性化したマウス繊維芽細胞やこれを代替できる細胞存在下で、塩基性線維芽細胞増殖因子と共に培養することができ、ＥＳ細胞と同様に多能性幹細胞として利用することができる。
【００３８】
当該技術分野において、多能性幹細胞から造血幹細胞への分化誘導に適した条件とは、例えば、ＩＶ型コラーゲンの存在下に培養する条件、α−最小必須培地（α−ＭＥＭ）等の存在下に培養する条件、造血系分化に適したフィーダー細胞上で培養する条件、胚葉体作成後、ディッシュに接着させる条件等の種々の条件及びこれらのいずれかの組み合わせの条件等に対し、造血幹細胞に分化誘導するための添加するサイトカインの種類、濃度、期間等の条件が挙げられる。
【００３９】
霊長類動物の多能性幹細胞の細胞群が、ヒトｉＰＳ細胞株やＥＳ細胞の場合、血液系細胞への分化誘導に適した条件に用いるサイトカインとして、例えば、ＢＭＰ−４、ＳＣＦ、ＩＬ−３、ＩＬ−６、ＶＥＧＦ、Ｇ−ＣＳＦ、Ｆｌｔ−３リガンド、ＥＰＯ、及びＴＰＯを用いることができる。
【００４０】
造血幹細胞移植は、移植する造血幹細胞の由来により骨髄移植、臍帯血移植、末梢血幹細胞移植に分けられる。いずれも移植細胞中のわずかな造血幹細胞が生着し、長期にわたり造血を支持し続ける効果を期待するものである。造血幹細胞に特異的な表面抗原があれば、これを指標に造血幹細胞を濃縮することができる。この表面抗原としてＣＤ３４がよく知られている。すなわち、ヒトの造血幹細胞はＣＤ３４陽性ということである。ヒトｉＰＳ細胞から造血幹細胞を作り出す場合も、いかに効率よくＣＤ３４陽性細胞を分化誘導するかに焦点が当てられていた。一方、マウスの造血幹細胞はＣＤ３４陰性と言われる。もし、マウスの場合と同様にヒトの場合でもＣＤ３４陰性分画にも造血幹細胞が存在すれば、ヒトｉＰＳ細胞から造血幹細胞を作り出す場合、必ずしもＣＤ３４陽性細胞にだけ焦点を当てる必要はない。実施例で証明するとおり、ヒトにおいてもＣＤ３４陰性分画にも造血幹細胞は存在することが分かった。したがって、本発明では、ヒトＣＤ３４陰性細胞が含まれる細胞群を動物体内に移植する。すなわち、本発明において「ＣＤ３４陰性細胞が含まれる細胞群」が、後述する第二工程で霊長類動物とは異なる動物の胎仔に移植される。この細胞群に含まれる「ＣＤ３４陰性細胞」は、細胞表面にＣＤ３４が存在しない細胞である。この細胞群は、限定されるわけではないが、例えば、霊長類動物の多能性幹細胞の細胞群を、造血細胞への分化誘導に適した条件において、ＣＤ３４陽性細胞が細胞群の一部に出現するまで培養して得ることができる。
【００４１】
ＣＤ３４陽性細胞の存在比率はとくに限定されないが、霊長類動物の多能性幹細胞の細胞群を、造血系への分化誘導に適した条件のもと、例えば、細胞群の５０％以下、３０％以下、１０％以下、７％以下又は６％以下の細胞がＣＤ３４陽性細胞に分化するまで培養することが好ましい。
【００４２】
本発明において、ＣＤ３４陽性細胞の割合の決定方法は、特に限定されないが、例えば、抗ＣＤ３４抗体を用いて細胞群を染色し、フローサイトメトリーを用いて細胞群中のＣＤ３４陽性細胞数及びＣＤ３４陰性細胞数を測定し、その測定数に基づいて決定することができる。
【００４３】
霊長類動物の多能性幹細胞の細胞群は、造血幹細胞への分化誘導に適した条件のもと、非限定的に、最短で、２日培養することが好ましく、４日培養することがより好ましく、６日培養することがさらに好ましく、最長で、１２日培養することが好ましく、１０日培養することがより好ましく、８日培養することがさらに好ましい。上記の最短の培養日数のうち任意の日数と、上記の最長の培養日数のうち任意の培養日数とを組み合わせた範囲内の日数で培養することができる。また、６日間培養することが最も好ましい。
【００４４】
また、霊長類動物の多能性幹細胞の細胞群は、造血幹細胞への分化誘導に適した条件のもと、初期中胚葉マーカーのＢｒａｃｈｙｕｒｙの遺伝子又はタンパク質を発現する細胞が出現するまで培養することが好ましく、中胚葉系マーカーであるＰＤＧＦＲαの遺伝子又はタンパク質を発現する細胞が出現するまで培養することがより好ましく、血管内皮細胞遺伝子の発現を誘導するＥｔｖ２の遺伝子又はタンパク質を発現する細胞が出現するまで培養することがさらに好ましく、造血因子であるＳｃｌの遺伝子又はタンパク質を発現する細胞が出現するまで培養することがさらに好ましい。
【００４５】
胚の発生において、中胚葉では、Ｂｒａｃｈｙｕｒｙ、ＰＤＧＦＲα、Ｅｔｖ２、Ｓｃｌの順に発現することが知られている。Ｂｒａｃｈｙｕｒｙは、Ｔボックスファミリーに属する転写因子であり、中胚葉の形成と、中胚葉系への細胞分化には不可欠であるタンパク質である（ＹＨ  Ｅｄｗａｒｄｓ  ｅｔ  ａｌ，，Ｇｅｎｏｍｅ  Ｒｅｓ．１９９６．６：２２６−２３３）。ヒトのＢｒａｃｈｙｕｒｙ  は、アクセッション番号ＮＭ＿００３１８１．３又はＮＭ＿００１２７０４８４．１により検索可能である。
【００４６】
ＰＤＧＦＲ（Ｐｌａｔｅｌｅｔ−Ｄｅｒｉｖｅｄ  Ｇｒｏｗｔｈ  Ｆａｃｔｏｒ  ｒｅｃｅｐｔｏｒ）は、種々の間葉系細胞の細胞表面に発現しているタンパク質であり、チロシンキナーゼ活性を有する。アミノ酸配列が類似したα及びβ受容体が存在する。原腸陥入時には沿軸中胚葉において発現していることが知られている（Ｔａｋａｋｕｒａ  Ｎ  ｅｔ  ａｌ．，Ｊ  Ｈｉｓｔｏｃｈｅｍ  Ｃｙｔｏｃｈｅｍ．１９９７  Ｊｕｎ；４５（６）：８８３−９３．）。ヒトのＰＤＧＦＲαは、アクセッション番号ＮＭ＿００６２０６．４により検索可能である。
【００４７】
Ｅｔｖ２（ｅｔｓ  ｖａｒｉａｎｔ  ２）は、血液および内皮細胞の発生に必須の因子であり、発生において一時的に発現することが知られている（Ｍｉｓａｔｏ  Ｈａｙａｓｈｉ  ｅｔ  ａｌ．，Ｅｘｐ  Ｈｅｍａｔｏｌ．Ｖｏｌｕｍｅ  ４０，Ｉｓｓｕｅ  ９，Ｓｅｐｔｅｍｂｅｒ  ２０１２，Ｐａｇｅｓ  ７３８−７５０．ｅ１１）。Ｅｔｖ２は、アクセッション番号ＮＭ＿０１４２０９．３、  ＮＭ＿００１３００９７４．１又はＮＭ＿００１３０４５４９．１により検索可能である。
【００４８】
Ｓｃｌ（Ｓｔｅｍ  ｃｅｌｌ  ｌｅｕｋｅｍｉａ）は、初期の中胚葉において、造血細胞の分化に必須の役割を担うことが知られている（Ｉｓｍａｉｌｏｇｌｕ  Ｉ  ｅｔ  ａｌ．，Ｅｘｐ  Ｈｅｍａｔｏｌ．２００８  Ｄｅｃ；３６（１２）：１５９３−６０３．ｄｏｉ：１０．１０１６／ｊ．ｅｘｐｈｅｍ．２００８．０７．００５．Ｅｐｕｂ  ２００８Ｓｅｐ２１．）。Ｓｃｌは、アクセッション番号ＮＭ＿００１２８７３４７．２、ＮＭ＿００１２９０４０３．１、ＮＭ＿００１２９０４０４．１  ＮＭ＿００１２９０４０５．１、ＮＭ＿００１２９０４０６．１、又はＮＭ＿００３１８９．５により検索可能である。
【００４９】
動物の体内に移植する前に、好ましくは、第一工程の前に、霊長類動物の多能性幹細胞の細胞群に対して遺伝子改変処理する工程を有してもよい。遺伝子改変処理は、特に限定されないが、例えば、レンチウイルスベクター等のウイルスベクターを用いた遺伝子導入技術、アデノ随伴ウイルス（ＡＡＶ）やヘルペスウイルス由来のプラスミドベクターを用いた遺伝子導入技術、ＺＦＮ（Ｚｉｎｃ  Ｆｉｎｇｅｒ  Ｎｕｃｌｅａｓｅ）、ＴＡＬＥＮ（Ｔｒａｎｓｃｒｉｐｔｉｏｎ  ａｃｔｉｖａｔｏｒ−ｌｉｋｅ  ｅｆｆｅｃｔｏｒ  ｎｕｃｌｅａｓｅ）、ＣＲＩＳＰＲ／Ｃａｓ法等のゲノム編集技術により行うことができる。本工程を有することにより、遺伝子変異に起因する疾患を有する個体を治療するために用いることのできる血液系細胞を作製することができる。遺伝子変異に起因する疾患とは、特に限定されないが、例えば、Ｘ−ＳＣＩＤ、ＺＡＰ７０欠損症、Ｊａｋ３欠損症、Ｂｌｏｏｍ症候群、Ｗｉｓｃｏｔｔ−Ａｌｄｒｉｃｈ症候群、ＡＤＡ欠損症、慢性肉芽腫症、Ｆａｎｃｏｎｉ貧血、サラセミア、鎌状赤血球貧血症、白質ジストロフィー、血友病，ムコ多糖症等を意図する。
【００５０】
（２）第二工程「第一工程で得た細胞群の少なくとも一部を霊長類動物とは異なる動物の胎仔に移植する工程」
本発明において、前記霊長類動物の多能性幹細胞由来のＣＤ３４陰性細胞が含まれる細胞群をさらに造血系に分化・誘導することを目的として、ＣＤ３４陰性細胞が含まれる霊長類動物の細胞群を、前記霊長類動物とは異なる動物の胎仔に移植する。
【００５１】
本発明において、前記霊長類動物の多能性幹細胞由来のＣＤ３４陰性細胞を多く含む細胞群を移植する動物は、多能性幹細胞の由来動物種である霊長類動物と異なっていればどのような動物種であってもよく、例えば多能性幹細胞の由来動物種がヒトである場合、ヒト以外の霊長類動物の他、ウシ、ブタ、ウマ、ヒツジ、ヤギ等の産業動物を使用することができる。動物の供給の容易性を考慮すると、産業動物を使用することが好ましく、本発明においてはヒツジやブタを使用することがより好ましい。
【００５２】
前記霊長類動物の多能性幹細胞由来のＣＤ３４陰性細胞が含まれる細胞群を移植する動物の胎仔への移植は、当該動物の妊娠母体の体外から、胎仔体内における移植部位として、造血発生器官、例えば、肝臓内（または、より厳密には肝実質内）が望ましいが、それに限定されるものではなく、腹腔内、心臓内、臍帯内等に移植用細胞を穿刺注入すること等により行われうる。
【００５３】
移植手術は、例えば、動物がヒツジの場合、
−  妊娠約４０〜８５日目（満期１４７日）の妊娠ヒツジを、予め移植の１週間〜１０日前に、移植時における飼育環境に慣れさせ、
−  母体を麻酔し、
−  ヒツジを施術するに適切な体位に固定し、
−  清潔操作で、移植箇所への移植用細胞の移植を容易にするように、種々の手術、例えば、腹腔内又は肝実質内に細胞を移植する場合、下腹部正中切開で開腹後、子宮母体腹腔外に翻転させること
等により行なわれうる。
【００５４】
細胞を子宮内胎仔へ移植する方法には、例えば、動物の子宮筋層を切開し、温存したまま露出させた卵膜内に胎仔を追い込み、透明な卵膜を通して直視下に胎仔移植部位に移植用細胞を穿刺注入し、子宮筋層、腹膜筋層、皮膚を層々に縫合閉腹すればよい。または、子宮を切開せずに，子宮壁上から超音波ガイド下、胎仔の移植部位に、移植用細胞を穿刺注入し、腹膜筋層、皮膚を層々に縫合閉腹すればよい。
【００５５】
本発明においては、このようにして前記霊長類動物の多能性幹細胞由来のＣＤ３４陰性細胞が含まれる細胞群を移植した動物の胎仔を出生させ、その仔動物を成長させて、当該動物の体内において前記霊長類動物由来の細胞群を分化・増殖させ、結果として前記霊長類動物の造血系細胞を得る。動物の個体体内に前記霊長類動物由来のＣＤ３４陰性細胞を含む細胞群を移植することにより、当該動物の体内において、前記霊長類動物の多能性幹細胞由来のＣＤ３４陰性細胞が含まれる細胞群に対して、血液系細胞への更なる分化・誘導が引き起こされ、結果として霊長類動物の多能性幹細胞から造血系細胞を作製する工程の後半が実現される。
【００５６】
このようにして動物の体内において誘導・増殖された前記霊長類動物由来の造血幹細胞は、細胞群を移植した動物の胎仔が出生した後、仔動物より、適切な組織、例えば、肝臓、骨髄等の組織を採取し、初代培養用の細胞を得、得られた細胞について、（１）  造血コロニーアッセイを行なうこと、（２）  前記（１）で形成された造血コロニーについて、霊長類動物に特異的なマーカー遺伝子の発現を調べることにより、評価されうる。
【００５７】
前記（１）の造血コロニーアッセイは、例えば、
ｉ）  仔動物より、肝臓の組織生検、骨髄等の組織を得、
ｉｉ）  得られた組織について、トリプシン処理、ＤＮａｓｅＩ処理、溶解処理等の組織に応じた適切な処理を行ない、細胞を得、
ｉｉｉ）  得られた細胞を、１０％  ＦＢＳ（ウシ胎仔血清）−ＩＭＤＭに懸濁して、細胞浮遊液を得、
ｉｖ）  得られた細胞浮遊液と、メチルセルロース培地｛例えば、商品名：ＭｅｔｈｏＣｕｌｔ  ＧＦ＋〔ステムセルテクノロジーズ（ＳｔｅｍＣｅｌｌ  Ｔｅｃｈｎｏｌｏｇｉｅｓ）社製、カタログ番号：ＳＴ−０４４３５〕等｝とを混合して、攪拌し、
ｖ）  ついで、得られた細胞を含む培地を、ディッシュに注入し、３７℃、５体積％  ＣＯ２の条件下で１４日間培養する
ことにより行なわれる。
【００５８】
また、前記（２）の霊長類動物に特異的なマーカー遺伝子の発現は、造血コロニーアッセイで形成されたコロニーから、慣用の方法でＤＮＡを抽出し、得られたＤＮＡについて、例えば、霊長類動物に特異的なマーカー遺伝子に特異的なプローブを用いたハイブリダイゼーション、特異的なプライマー対を用いたＰＣＲ等により、該遺伝子を検出することにより、評価されうる。または、造血コロニーを、霊長類動物に特異的な抗原に対する抗体で免疫染色することによって評価してもよい。
【００５９】
本発明の方法において、動物の胎仔に前記霊長類動物の多能性幹細胞由来のＣＤ３４陰性細胞を含む細胞群を移植する工程を行う前に、動物の胎仔の内因性の造血を抑制する工程をさらに含めることができる。動物の体内で生じる内在性の造血を抑制しつつ、その後移植する外来性の前記霊長類動物の多能性幹細胞由来のＣＤ３４陰性細胞が含まれる細胞群からの造血系細胞の生成を促進することができる。仔動物の体内における内因性の造血は、限定されないが、例えば、化学療法剤若しくは免疫抑制剤を胎仔に投与することにより、または、放射線を胎仔に照射することにより、抑制でき、例えば、胎仔に対してブスルファン、フルダラビン、メルファラン、またはシクロホスファミド等の抗腫瘍剤を投与して造血幹細胞に細胞死を生じさせることにより行うことができる。化学療法剤若しくは免疫抑制剤は、移植前の胎仔に母体静脈経由で投与することが好ましい。化学療法剤若しくは免疫抑制剤の投与量や、放射線の照射量は、胎仔の感受性により決定すればよく、特に限定されるものではない。ブスルファンの投与量は、特に限定されないが、例えば日本で一般的に飼養されているヒツジであれば、３〜５  ｍｇ／ｋｇとしてもよい。
【００６０】
動物の胎仔に前記霊長類動物の多能性幹細胞由来のＣＤ３４陰性細胞を含む細胞群を移植する工程において、出生後の仔動物に対して、霊長類動物のリンパ球を移植してもよい。前記霊長類動物のリンパ球を移植すると、仔動物の体内に移植された前記霊長類動物の造血幹細胞の誘導・増殖を亢進させることができる。
【００６１】
リンパ球としては、ＭＨＣ（主要組織適合遺伝子複合体、ｍａｊｏｒ  ｈｉｓｔｏｃｏｍｐａｔｉｂｉｌｉｔｙ  ｃｏｍｐｌｅｘ）非拘束性リンパ球であればよいが、ＮＫ細胞、γδＴ細胞、又は、ＮＫＴ細胞を用いることが好ましい。
【００６２】
リンパ球は、移植する細胞群が由来する個体から採取したものに限られない。例えば、細胞群の移植を受ける動物種以外の種から採取したリンパ球であれば用いることができる。
【００６３】
リンパ球の投与条件は特に限定されないが、例えば、仔動物が出生する前に母体静脈経由で投与してもよいが、仔動物が出生した直後に静脈内投与することが好ましく、出生後、任意の時期に繰り返し輸注してもよい。
【００６４】
（３）第三工程「胎仔が出生に至って得られた仔動物を育成させて得た動物の体内から霊長類動物の造血系細胞を得る工程」
霊長類動物の造血系細胞の分離は、例えば、
１）上記のようにして得られた動物から、肝臓、骨髄、血液（末梢血、臍帯血）、胸腺、脾臓等を採取し、
２）得られた器官から、適切な手法により、細胞群を得、
３）得られた細胞群から、霊長類動物に由来する造血系細胞を分離すること等により得られうる。
【００６５】
前記ステップ３）においては、例えば、霊長類動物に特異的なマーカー又は該マーカーに対する抗体等を用いたフローサイトメトリー、免疫ビーズを用いる方法等が行なわれる。
【００６６】
前記「霊長類動物に特異的なマーカー」としては、例えば、霊長類に交叉し、レシピエント動物には交叉しないマーカーであればよく、ＨＬＡ−ＡＢＣ、β２−ミクログロブリン、ＣＤ４５等が挙げられる。
【００６７】
本発明の作製方法により得られる霊長類動物の造血系細胞の評価は、例えば、ＣＤ４５、ＴＥＲ１１９、α４−インテグリン、ＶＥ−カドヘリン、ｃ−ｋｉｔ、Ｓｃａ−１、ＣＤ３４、ＣＤ１３、ＣＤ１４、ＧＰＩＩｂ／ＩＩＩａ、ＣＤ３、ＣＤ４、ＣＤ８、ｓＩｇＭ、ＣＤ１９等の発現の有無を指標とすることにより行なわれうる。
ＩＩ．キメラ動物
本発明の方法により、霊長類動物の造血系細胞を生産するキメラ非ヒト動物を作製することができる。したがって、本発明は、一態様において、霊長類動物の造血系細胞を生産するキメラ非ヒト動物及びその作製方法に関する。
【００６８】
本発明の霊長類動物の造血系細胞を生産するキメラ非ヒト動物は、
霊長類動物の多能性幹細胞の細胞群を、造血系細胞への分化誘導に適した条件で培養する、ＣＤ３４陰性細胞が含まれる細胞群を得る第一工程と、
前記第一工程で得た細胞群の少なくとも一部を前記霊長類動物とは異なる動物の胎仔に移植する第二工程と、
前記胎仔が出生に至って得られた仔動物を育成させて前記霊長類動物の造血系細胞を生産するキメラ動物を得る第三工程と、
を有することを特徴とする、霊長類動物の造血系細胞を生産するキメラ非ヒト動物の作製方法により作製できる。
【００６９】
別の一態様において、本発明のキメラ非ヒト動物は、霊長類動物の血液系細胞を生産することができる、前記霊長類動物とは異種の体細胞を有する動物である。
第一工程の前に多能性幹細胞に対して、既述の方法によって遺伝子改変処理する工程を有してもよい。遺伝子変異に起因する疾患の治療に使用できる血液系細胞を生産するキメラ非ヒト動物を作成できる。
【００７０】
本発明のキメラ非ヒト動物は、免疫学的に寛容な状態で、霊長類動物に由来する細胞を有することとなるため、該キメラ非ヒト動物には、造血系細胞の分化誘導に適した条件でその体内に任意の期間にわたって維持することができる。したがって、得られた血液系細胞を、ドナー動物に対して、任意の時期に移植することができる。
【００７１】
本発明のキメラ非ヒト動物によれば、特定の個体に由来する血液系細胞を動物体内で容易に増幅させることができる。また、移植日まで血液系細胞をキメラ非ヒト動物内で培養することができるため、血液系細胞を簡便に維持できる。
ＩＩＩ．キメラ非ヒト動物から得られた造血系細胞
本発明の他の態様は、本発明のキメラ非ヒト動物から得られた造血系細胞である。
【００７２】
本発明のキメラ非ヒト動物から得られた血液系細胞は、キメラ非ヒト動物に移植した多能性幹細胞が由来する霊長類動物の細胞であり、ＭＨＣが合致すれば当該霊長類動物に移植した場合に拒絶反応がない。従って、キメラ非ヒト動物に移植した多能性幹細胞が由来する霊長類動物に移植するなど、霊長類動物の治療に用いることができる。
ＩＶ．治療方法
本発明の他の態様は、本発明の作製方法によって得られた造血系細胞を前記霊長類動物に投与する工程を有する、霊長類動物の造血系細胞を用いた治療方法である。
【００７３】
本発明の他の態様は、霊長類動物の多能性幹細胞の細胞群を、造血系細胞への分化誘導に適した条件で培養する、ＣＤ３４陰性細胞が含まれる細胞群を得る第一工程と、前記第一工程で得た細胞群の少なくとも一部を前記霊長類動物とは異なる動物の胎仔に移植する第二工程と、前記胎仔が出生に至って得られた仔動物を育成させて得た動物の体内から前記霊長類動物の造血系細胞を得る第三工程と、前記造血系細胞を前記霊長類動物に投与する第四工程と、を有することを特徴とする、霊長類動物の造血系細胞を用いた治療方法である。
【００７４】
本発明における、投与する工程における投与方法は、特に限定されず、公知の方法を用いることができる。
治療方法は、造血系細胞の移植を必要とする疾患の治療に用いることができ、その疾患としては、例えば、再生不良性貧血、白血病、免疫不全症（Ｘ−ＳＣＩＤ、ＺＡＰ７０欠損症、Ｊａｋ３欠損症、ＡＤＡ欠損症、慢性肉芽腫症、Ｂｌｏｏｍ症候群、Ｗｉｓｃｏｔｔ−Ａｌｄｒｉｃｈ症候群等）、心筋梗塞等の虚血性心疾患、閉塞性動脈硬化症、バージャー病、及びその他遺伝性疾患（Ｆａｎｃｏｎｉ貧血、血友病、サラセミア、鎌状赤血球貧血症、白質ジストロフィー，ムコ多糖症等）が挙げられる。
【００７５】
本明細書においては、以上において説明してきた発明のより具体的な態様を、実施例の形式で、以下においてさらに詳細に説明する。
【実施例】
【００７６】
実施例１：工程１（試験管内培養）によってヒトｉＰＳ細胞から造血幹細胞に向けてある段階まで分化させることができるが、工程１だけでは十分な分化は得られないことを示す。
（１）フィーダー細胞の作製
マクロファージコロニー刺激因子の機能不全マウスである（Ｃ５７ＢＬ／６×Ｃ３Ｈ）Ｆ２−ｏｐ／ｏｐマウスの新生仔頭蓋冠より作製されたストロマ細胞株で、前脂肪細胞株であるＯＰ９細胞を、ＯＰ９細胞用培地｛１２５０ｍｌあたりの組成：α−ＭＥＭ〔ギブコ（Ｇｉｂｃｏ）社製、カタログ番号：１２０００−０２２〕  ９８０ｍｌ、ウシ胎仔血清  ２５０ｍｌ（最終濃度２０％）、ペニシリン（１００Ｕ／ｍｌ）−ストレプトマイシン（１００μｇ／ｍｌ）  １０ｍｌ、２００ｍＭ  Ｌ−グルタミン溶液  １０ｍｌ｝で、３７℃、５％  ＣＯ２条件下で培養した。【００７７】
その後、培養液内で接着してコンフルエント又はその直前まで生育した細胞を、リン酸緩衝化生理食塩水で２回洗浄した。ついで、洗浄後のディッシュ上の細胞に、０．１％  トリプシン−ＥＤＴＡ（２ｍｌ／１０ｃｍディッシュ）を添加し、インキュベーターで５  分間保温した。【００７８】
前記ディッシュに、前記Ｏ  Ｐ  ９  細胞用培地を添加し、細胞を含む培地を５０ｍｌコニカルチューブに回収した。回収された細胞を含む培地を１５００ｒｐｍで５分間遠心分離した。得られた細胞を、前記ＯＰ９細胞用培地に、１：４〜１：５（約２．５×１０５細胞〜４×１０５細胞で播種し、３７℃、５％  ＣＯ２条件下に、コンフルエントになるまで培養した。【００７９】
得られた細胞を、１０ｃｍディッシュ〔ファルコン（ＦＡＬＣＯＮ））上、最終濃度１０μｇ／ｍｌのマイトマイシンＣを含む前記ＯＰ９細胞用培地  １０ｍｌで２〜４時間培養することにより、細胞の分裂増殖を停止させて、不活化させた。ついで、マイトマイシンＣを含む培地を除去した。処理後の細胞をリン酸緩衝化生理食塩水で洗浄した。洗浄後の細胞をトリプシン・ＥＤＴＡ処理（０．０５％  トリプシン、１ｍＭ  ＥＤＴＡ）して、細胞浮遊液を得、ついで、細胞浮遊液を遠心分離して細胞を得た。【００８０】
得られた細胞を、ゼラチンコートした６ｃｍ培養ディッシュ〔ファルコン（ＦＡＬＣＯＮ）社製、商品名：Ｔｉｓｓｕｅ  Ｃｕｌｔｕｒｅ  Ｄｉｓｈ〕上、前記ＯＰ９細胞用培地  に、１：２（  培地あたり約１×１０５  細胞／ｍｌ）で播種した。以上のように準備したＯＰ９細胞を、造血系分化誘導培養におけるフィーダー細胞として用いた。
（２）ｉＰＳ細胞の造血系分化培養
成人末梢血からＦｉｃｏｌｌ−Ｈｙｐａｑｕｅ（ＧＥヘルスケア社製）液を用いて回収した単核球に、ヒトＯｃｔ３／４、ヒトＳｏｘ２、ヒトＫｌｆ４及びヒトｃ−Ｍｙｃを搭載したセンダイウイルスベクター（ＩＤファーマ社製）を用いて遺伝子導入し、ヒトｉＰＳ細胞を作製した。ヒトｉＰＳ細胞は、マイトマイシンＣによる不活化処理をしたマウス胚線維芽細胞上で、霊長類ＥＳ細胞用培地〔Ｐｒｉｍａｔｅ  ＥＳ  Ｃｅｌｌ  Ｍｅｄｉｕｍ（リプロセル社製）５００ｍｌにｂＦＧＦ（和光純薬工業社製）を２．５μｇ（終濃度５ｎｇ／ｍｌ）添加〕中で維持した。剥離液  １ｍｌに回収されたヒトｉＰＳ細胞を、分化用培地〔１００ｍｌあたりの組成：ＩＭＤＭ（Ｉｓｃｏｖｅ’ｓ  Ｍｏｄｉｆｉｅｄ  Ｄｕｌｂｅｃｃｏ’ｓ  Ｍｅｄｉｕｍ）  ８４ｍｌ、８％  ウマ血清  ８ｍｌ、８％  ウシ胎仔血清  ８ｍｌ、５×１０−６Ｍ  ヒドロコルチゾン  ０．１８μｇ、ＢＭＰ−４  ２μｇ（最終濃度２０ｎｇ／ｍｌ）、ＳＣＦ  ２μｇ（最終濃度２０ｎｇ／ｍｌ）、ＩＬ−３  ２μｇ（最終濃度２０ｎｇ／ｍｌ）、ＩＬ−６  １μｇ（最終濃度１０ｎｇ／ｍｌ）、ＶＥＧＦ  ２μｇ（最終濃度２０ｎｇ／ｍｌ）、Ｇ−ＣＳＦ  ２μｇ（最終濃度２０ｎｇ／ｍｌ）、Ｆｌｔ−３リガンド２μｇ（最終濃度１０ｎｇ／ｍｌ）、ＥＰＯ  ２００Ｕ（２Ｕ／ｍｌ）、ＴＰＯ４μｇ（最終濃度４０ｎｇ／ｍｌ）〕  ５ｍｌに懸濁した。得られた細胞懸濁液を、前記造血系分化誘導培養におけるフィーダー細胞上に播種した。なお、培養は、３７℃、５％  ＣＯ２条件のインキュベーター内で行なった。また、分化用培地は、２日に１回交換した。【００８１】
６日間培養後、古い培地を吸引して、除去し、細胞を、リン酸緩衝化生理食塩水で洗浄した。ついで、ディッシュ上の細胞に、０．１％  トリプシンＥＤＴＡ／ＰＢＳ（−）  １ｍｌを添加し、該細胞を３７℃で３〜４分間培養した。その後、常温下でディッシュの底を軽く叩き、細胞のコロニーを剥離させた。得られた細胞群を、ヒツジ胎仔への移植に用いた。
＜遺伝子の相対発現量解析＞
前述の通りに調整した造血分化細胞のＲＮＡをサンプルとして、ｂｒａｃｈｙｕｒｙ，  Ｅｔｖ２，  Ｇａｔａ２，  Ｓｃｌ，  Ｒｕｎｘ１Ａ，  及びＲｕｎｘ１Ｂ遺伝子の検出を試みた。まずＲＮＡ  ＰＣＲ  ｋｉｔ（ＴａＫａＲａ社製）をプロトコールどおりに用いて、ｔｏｔａｌ  ＲＮＡよりｃＤＮＡを合成した。各遺伝子検出用プライマーの配列は、Ｂｒａｃｈｙｕｒｙのプライマーセットは５’−ＡＣＡＡＡＧＡＧＡＴＧＡＴＧＧＡＧＧＡＡＣＣＣＧ−３’と５’−ＡＧＧＡＴＧＡＧＧＡＴＴＴＧＣＡＧＧＴＧＧＡＣＡ−３’、Ｅｔｖ２のプライマーセットは５’−ＣＡＧＡＡＧＧＣＣＴＴＣＡＴＣＧＣＡＴＣＣＡ−３’と５’−ＧＣＴＴＧＣＣＡＧＧＧＡＴＧＡＧＣＴＴＧＴＡ−３’、ＧＡＴＡ２のプライマーセットは５’−ＡＡＧＧＡＣＴＴＧＧＡＧＡＣＴＴＧＧＴＧＧＴＣ−３’と５’−ＧＧＣＴＡＴＴＴＣＡＧＡＧＡＧＧＧＡＡＧＣＣＡ−３’、Ｓｃｌのプライマーセットは５’−ＡＴＧＣＣＴＴＣＣＣＴＡＴＧＴＴＣＡＣＣＡＣＣＡ−３’と５’−ＴＧＡＡＧＡＴＡＣＧＣＣＧＣＡＣＡＡＣＴＴＴＧＧ−３’、Ｒｕｎｘ１ａのプライマーセットは５’−ＣＣＧＡＧＡＡＣＣＴＣＧＡＡＧＡＣＡＴＣ−３’と５’−ＧＣＴＧＴＧＴＣＴＴＣＣＴＣＣＴＧＣＡＴ−３’、Ｒｕｎｘ１ｂのプライマーセットは５’−ＣＧＡＣＴＣＴＣＡＡＣＧＧＣＡＣＣＣＧＡ−３’と５’−ＡＴＧＧＣＣＧＡＣＡＴＧＣＣＧＡＴＧＣＣ−３’とした。ＲＴ反応後のＰＣＲ増幅条件は、９５℃で５分間の後、９５℃を３０秒間、６０℃を３０秒間、７２℃を３０秒間の組み合わせを４５サイクルとした。結果を下表に示す。【００８２】
【表１】
2017038958.tif 000002
【００８３】
本発明の工程１によって、ヒトｉＰＳ細胞からまず中胚葉系分化に必要なｂｒａｃｈｙｕｒｙが発現し、それから血管・血液系分化に必要なＥｔｖ２が発現し、それから造血系に必要な遺伝子群、すなわち、Ｇａｔａ２，  Ｓｃｌ，  Ｒｕｎｘ１Ａ，  Ｒｕｎｘ１Ｂが波状に発現した。
＜ＦＡＣＳ解析＞
前述の通り分化させた細胞に対し、抗ヒトＰＤＧＦＲα（中胚葉系マーカー）、ＣＤ３４  （造血幹細胞マーカー）、ＣＤ４３  （汎血球マーカー）、ＣＤ４５（汎血球マーカー）抗体を用いてＦＡＣＳ解析を行なった。細胞浮遊液に抗体溶液を添加し、４℃  で２０−６０分間反応させた後、蛍光標識した細胞をＦＡＣＳ  Ａｃｃｕｒｉ  ｆｌｏｗ  ｃｙｔｏｍｅｔｅｒ  （Ｂｅｃｔｏｎ  Ｄｉｃｋｉｎｓｏｎ，  Ｓａｎ  Ｊｏｓｅ，  ＣＡ）を用いて解析した。結果を図１に示す。【００８４】
観察した表面マーカーは、ＰＤＧＦＲα（中胚葉系マーカー）、ＣＤ３４  （造血幹細胞マーカー）、ＣＤ４３  （汎血球マーカー）、及びＣＤ４５  （汎血球マーカー）である。発生上、ＰＤＧＦＲα、ＣＤ３４，  ＣＤ４３，  そして、ＣＤ４５の順に発現すると言われている。図１から明らかなように、ＣＤ３４の発現は  ｄａｙ  ４から確かに見られた。しかし、ＣＤ４３及びＣＤ４５の発現はほとんど見られなかった。すなわち、試験管内の培養では、造血系分化のために必要な何らかの要素が欠けているために、試験管内の培養ではｉＰＳ細胞は造血幹細胞には分化しないことがわかる（図１）。【００８５】
図２は、以上のデータを図示したものである。Ｂｒａｃｈｙｕｒｙ，  Ｅｔｖ２，  Ｓｃｌ，  及びＲｕｎｘが波状に発現し、また、ＰＤＧＦＲα及びＣＤ３４も順を追って発現する。ここまでは、造血系細胞への発生の過程を忠実に再現している。しかし、その後に汎血球マーカーであるＣＤ４３やＣＤ４５が発現していない。試験管内では複数の因子が不足していると考えられる。そこで、実施例２では、Ｄａｙ  ６の細胞を動物胎仔の肝臓に移植した。胎仔の肝臓は本来の造血組織であり、ここには、造血系細胞に分化するために必要な因子が全て揃っていると考えられる。【００８６】
実施例２：工程１（試験管内培養）に加え、工程２（動物胎仔肝臓内への移植）を加えることによって、ヒトｉＰＳ細胞から造血幹細胞への分化が誘導され、さらに肝臓から骨髄への移行「引越し」が起こることを示す。【００８７】
＜ｉＰＳ細胞の造血系分化培養と移植細胞の準備＞
前記実施例１（２）で得られた、培養６日目の造血系ヒトｉＰＳ細胞を移植細胞とした。【００８８】
＜細胞群の移植後のヒツジ胎仔の肝臓及び骨髄の解析＞
細胞群移植１ヶ月後のヒツジ胎仔の肝臓及び細胞群移植２ヶ月後のヒツジ胎仔の骨髄を採取し、抗活性化Ｎｏｔｃｈ抗体、ヒトＣＤ３４抗体及び抗ヒトＣＤ４５抗体を用いて染色して観察した。蛍光顕微鏡像を図３及び４に示す。【００８９】
図４は、ヒトｉＰＳ由来細胞をヒツジ胎仔肝臓に移植して１ヶ月後に、ＣＤ４５陽性細胞が認められたことを示す。細胞群は、移植前にＣＤ４５陰性であった（図４の左図）から、ヒツジ胎仔肝臓内においてＣＤ４５陽性になったことがわかる。【００９０】
造血幹細胞の維持にはＮｏｔｃｈシグナルの活性化が必須と考えられているが、移植後２ヶ月のヒツジ胎仔肝臓で、ヒトのＮｏｔｃｈの活性化を確認した。ヒトの活性化されたＮｏｔｃｈだけを認識する抗体で染色すると、図３の通り、移植前は染まった細胞は検出されなかったが、移植２ヶ月後のヒツジ胎仔肝臓内では、この抗体で染色される細胞があることがわかる。すなわち、ヒツジ胎仔肝臓内で初めてヒトＮｏｔｃｈシグナルが活性化されたことを示す。【００９１】
移植後２ヶ月のヒツジ胎仔骨髄においても、ヒトＣＤ３４陽性細胞の生着、ヒトＣＤ４５陽性細胞の生着及び活性化したヒトＮｏｔｃｈシグナルが認められた。すなわち、ヒトの造血幹細胞は、ヒツジ胎仔肝臓から骨髄へと移動した。この時期、造血組織が肝臓から骨髄に移動するのは、哺乳類に特徴的に見られる造血発生過程であり、本工程はそれを忠実になぞっていることを示す（図３、４）。【００９２】
以上をまとめると、ヒツジ胎仔肝臓内でヒト細胞のＣＤ４５が陽転し、Ｎｏｔｃｈシグナルが活性化され、さらに、それが骨髄に移動することがわかった。ヒト造血幹細胞はヒツジ体内で育つと言える。【００９３】
実施例３：ＣＤ３４陰性細胞を含む細胞群を移植した場合には、生後のヒツジ体内で効率よくヒト造血幹細胞ができることを示す。
＜ｉＰＳ細胞の造血系分化培養と移植細胞の準備＞
前記実施例１（２）で得られた、培養６日目の造血系ヒトｉＰＳ細胞を移植用細胞とした。
＜臍帯中のＣＤ３４陽性細胞群の調製＞
凍結ヒト臍帯血細胞は、理研セルバンクより購入したものを用いた。Ｆｉｃｏｌｌ−Ｈｙｐａｑｕｅ（ＧＥヘルスケア）液上に重層して単核球分画を得て、磁気標識した抗ヒトＣＤ３４抗体（Ｍｉｌｔｅｎｙｉ  Ｂｉｏｔｅｃｈ）をプロトコールどおりに反応させてＣＤ３４陽性細胞を分離回収した。得られた細胞群を、ヒツジ胎仔への移植に用い、対照とした。
＜ヒツジの胎仔への細胞の移植＞
実験用ヒツジ取り扱い業者ジャパンラムから購入した妊娠ヒツジを使用した。妊娠約６０日目に移植を予定し、移植の１週間〜１０日前に、移植時における飼育環境に慣れさせた。また、腹部超音波検査による胎仔の確認を行なった。移植６日前には、ブスルファンを母体重量換算で３  ｍｇ／ｋｇ、母体静脈内から投与した。【００９４】
ヒツジ母体を、キシラジン静脈注射（０．０３ｍｇ／ｋｇ体重）で麻酔した。ヒツジを、手術台上に仰向けに寝かせ、四肢を固定後、自発呼吸のもとＯ２／空気／セボフルレンで全身麻酔下に手術を行なった。手術は、清潔操作で行なった。下腹部正中切開で開腹後、子宮を腹腔内に翻転させた。移植用細胞の注入場所は、胎仔の肝実質内とした。【００９５】
細胞移植法は、Ｉ）子宮切開法、ＩＩ）超音波ガイド法の二通りとした。子宮切開法の場合、ヒツジの子宮筋層を切開し、温存したまま露出させた卵膜内にヒツジ胎仔を追い込み、透明な卵膜を通して直視下に胎仔腹腔内に２３Ｇ針で、移植用細胞（１×１０６〜１×１０８細胞）を穿刺注入し、子宮筋層、腹膜筋層、皮膚を層々に縫合閉腹した。また、超音波ガイド法の場合、子宮を切開せず、子宮壁上から超音波ガイド下、ヒツジ胎仔肝実質内に２３ＧＰＴＣ針で、細胞（１×１０６〜１×１０８細胞）を穿刺注入し、腹膜筋層、皮膚を層々に縫合閉腹した。手術終了後、抗生物質（マイシリン・ゾル）を筋肉内注射した。ついで、抜管し、ヒツジの麻酔覚醒を確認した。
＜サンプルの取得＞
ヒトｉＰＳ細胞由来の細胞群を移植したヒツジから、出生後よりおよそ２週間に１回のペースで末梢血と骨髄を採取した。対照として、臍帯中の細胞群を移植したヒツジから、出生後よりおよそ２週間に１回のペースで末梢血と骨髄を採取した。採取した試料を、無菌コニカルチューブに入れて、室温で振とう保管し、一日以内に凍結保存した。
＜ヒト造血比率の算出方法＞
供試体からの造血系前駆細胞のコロニー培養には、前述のヒト細胞用メチルセルロース培地ＭｅｔｈｏＣｕｌｔＴＭＧＦ＋を使用した。採取および分離した骨髄細胞を３５ｍｍ培養ディッシュ（Ｃａｔ  Ｎｏ．１００８，  ＦＡＬＣＯＮ）中で１ｍｌメチルセルロース培地中に５−１０ｘ１０４の濃度で培養した（３７℃、５％ＣＯ２  ｉｎ  ａｉｒ）。１０−１４日後、ディッシュ上の骨髄球・マクロファージコロニー（ＣＦＵ−ＧＭ）、赤芽球コロニー（ＣＦＵ−Ｅ）及び混合コロニー（ＣＦＵ−Ｍｉｘ）の形成を観察した。個々のコロニーは９６ウェルプレート中の５０μｌの蒸留水（ニッポンジーン社製）中に移し、９９．０℃で５分間処理した後に５５．０℃で１時間２０μｇ／ｍｌ  Ｐｒｏｔｅｉｎａｓｅ  Ｋ（タカラ社製）で除蛋白し、ＤＮＡを溶出した。それぞれのサンプルの５μｌをＰＣＲ分析に用いた。９６ウェルプレートのそれぞれのウェルについて、２５０ｎｇのＤＮＡをテンプレートとして用い、ヒトに特異的な  ＮＤ５遺伝子配列（ヒツジＮＤ５は検出できない）をターゲットとしてｎｅｓｔｅｄ  ＰＣＲを行った。ＮＤ５配列に対する外側のプライマーセットは５’−ＡＣＴＧＡＧＣＣＡＣＡＡＣＣＣＡＡＡＣＡ−３’と５’−ＣＴＧＣＴＣＧＧＧＣＧＴＡＴＣＡＴＣＡＡ−３’、そして内側のプライマーセットは５’−ＴＴＣＡＴＣＣＣＴＧＴＡＧＣＡＴＴＧＴＴＣＧ−３’と５’−ＧＴＴＧＧＡＡＴＡＧＧＴＴＧＴＴＡＧＣＧＧＴＡ−３’である。ＰＣＲ反応には、ＭａｓｔｅｒＣｙｃｌｅｒ（エッペンドルフ）を用い、各ＰＣＲサイクルは変性、アニーリングおよび伸長の３ステップからなり、外側のＰＣＲ増幅条件は、９５℃を３０秒間、６０℃を３０秒間、７２℃を３０秒間の組み合わせを２５サイクルとした。内側のＰＣＲ増幅条件は、９５℃を３０秒間、５８℃を３０秒間、７２℃の組み合わせを３０サイクルとした。反応液はＴａｋａｒａ  Ｔａｑ  ＤＮＡ  ポリメラーゼ（ＲＲ００１Ｂ，  タカラ）のＴａｑ入りのバッファーにＤＮＡとプライマーをプロトコールどおりに混合して作製した。陰性コントロールには反応液の作製に用いた蒸留水（ニッポンジーン社製）、コロニー分析で使用したメチルセルロースおよび通常のヒツジの血液サンプルＤＮＡ、そして陽性コントロールにはヒトＤＮＡを用いた。増幅された生成物（１３５ｂｐ）はＬｏａｄｉｎｇ  Ｂｕｆｆｅｒ（Ｗａｋｏ社製）と１０：１で混合し、エチジウムブロマイド（１５５８５−０１１，  ＧＩＢＣＯ社製）を加えた２％アガロースゲルで電気泳動した。分子量マーカーには１００ｂ  Ｐｌｕｓ  ＤＮＡ  Ｌａｄｄｅｒ（Ｉｎｖｔｒｏｇｅｎ社製）を使用した。電気泳動後のゲルは、紫外線照射下で可視化した。個体のキメラ率の算出は、β−ａｃｔｉｎの検出されたウェル数に対するヒトＮＤ５の検出されたウェル数の比によって算出した。
＜結果＞
各条件における移植した細胞の総数、ＣＤ３４陽性細胞数、ＣＤ３４陰性細胞数、ＣＤ３４陰性細胞の割合、ヒト造血比率、及びヒト造血比率１％を得るのに必要なＣＤ３４陽性細胞数（ＣＤ３４陽性細胞数÷ヒト造血比率）を調べた。結果を下表に示す。【００９６】
【表２】
2017038958.tif 000003
【００９７】
【表３】
2017038958.tif 000004
【００９８】
ヒトｉＰＳ由来細胞は７頭のヒツジ胎仔に移植した。その結果、４頭が生まれ、そのヒト造血キメラ率は、２．３〜６．３％だった。一方、陽性コントロールとして、ヒト臍帯血ＣＤ３４細胞を６頭のヒツジ胎仔に移植したが、生後のヒト造血キメラ率は１．１〜２．３％だった。ヒトｉＰＳ細胞の方が、臍帯血に存在する本来の造血幹細胞より高いキメラ率が得られた。しかし、移植した細胞数をたとえばＣＤ３４陽性細胞数で見ると、両グループ間で異なるので、このキメラ率を単純に比較することはできない。両者を定量比較するために、ヒト造血比率１％を達成するために必要なＣＤ３４細胞数を算出したところ、ヒトｉＰＳ細胞は臍帯血と比べて、ほぼ同等の造血再構築能をもつことが分かった。【００９９】
以上のように、多能性幹細胞を、血液系細胞への分化誘導に適した条件のもと培養して得られたＣＤ３４陰性細胞を含む細胞群をヒツジ胎仔に移植することにより、より少量のＣＤ３４陽性細胞数を用いて、より多くのヒト造血系細胞が得られることがわかった。【０１００】
この結果から、多能性幹細胞を、血液系細胞への分化誘導に適した条件のもと培養して得られた細胞群には、造血幹細胞よりも分化段階が未成熟の血液系細胞や、造血幹細胞への分化を誘導する細胞が含まれていると考えられる。【０１０１】
多能性幹細胞を、血液系細胞への分化誘導に適した条件のもと培養して得られた細胞群を移植したヒツジには、移植１６ヶ月後もヒト造血細胞が検出された。
以下のポイントにより、ヒト臍帯血幹細胞という本来の造血幹細胞に匹敵する、きわめて高い効率でヒツジ体内におけるヒト造血が再現できると考えられる。
（１）培養法
Ｂｒａｃｈｙｕｒｙ、Ｅｔｖ２、Ｓｃｌ、  Ｒｕｎｘが波状に発現しながら、ＰＤＧＦＲα、ＣＤ３４も順を追って発現するような培養法を工夫し、汎血球マーカーのＣＤ４３、ＣＤ４５が出現すべきポイントより前となる、培養６日目に移植した。培養１２日目よりも後のような、汎血球マーカーのＣＤ４３、ＣＤ４５が出現すべきポイントから遅れると、造血分化のタイミングを逸すると思われる。培養１７日目で移植した例があったが（Ｂｌｏｏｄ．２００６  Ｍａｒ  １；１０７（５）：２１８０−２１８３．ｄｏｉ：１０．１１８２／ｂｌｏｏｄ−２００５−０５−１９２２）、これでは移植するタイミングが遅いと考えられる。
（２）移植細胞
ＣＤ３４陰性分画を含む細胞を移植した。従来、ヒト造血幹細胞はＣＤ３４陽性分画にあると考えられており、実際、臨床でもＣＤ３４陽性細胞移植が行われている。しかし、マウスでも同様に、ＣＤ３４陰性分画に造血幹細胞が存在する。このことは次の実施例で証明する。
（３）胎仔の前処理
前処置としてブスルファンを投与した上でヒトｉＰＳ由来細胞を移植したことも理由の一つである。
（４）移植部位
胎仔の肝臓内、すなわち造血組織の中に細胞を移植したことである。【０１０２】
実施例４：ヒトｉＰＳ細胞由来のＣＤ３４陰性細胞のみの移植実施例
従来、マウスの造血幹細胞はＣＤ３４陰性と言われ、一方、ヒトの造血幹細胞はＣＤ３４陽性と言われていた。本実施例では、ヒトにおいてもＣＤ３４陰性分画にも造血幹細胞は存在することを示す。
＜ヒツジの胎仔への細胞の移植及びヒツジからの試料採取＞
＜実施例１の＜ｉＰＳ細胞の造血系分化培養＞で得られた細胞群中のＣＤ３４陽性細胞の除去＞
細胞分離用磁気ビーズ試薬及び精製カラム（ＣＤ３４に対する磁気ビーズ結合モノクローナル抗体（ミルテニーバイオテク社製）と純化カラム（ミルテニーバイオテク社製）を用いて、実施例３の＜ｉＰＳ細胞の造血系分化培養＞で得られた細胞群から細胞表面ＣＤ３４発現細胞を除去した。【０１０３】
これにより得られた細胞群をＦＡＣＳで解析した。結果を図５の左図に示す。ＦＡＣＳ上、細胞群中のＣＤ３４陽性細胞は０．０％であった。このことから、得られた細胞群にはＣＤ３４陰性細胞のみが含まれていたことがわかる。【０１０４】
このＣＤ３４陰性細胞のみが含まれている細胞群を、実施例３と同様に、ヒツジの胎仔に移植し、実施例３と同様にヒト造血比率を解析した。移植した細胞の総数、ＣＤ３４陽性細胞数、ＣＤ３４陰性細胞数、ヒト造血比率、及びヒト造血比率１％を得るのに必要なＣＤ３４陽性細胞数を下表に示す。【０１０５】
【表４】
2017038958.tif 000005
【０１０６】
この結果から、多能性幹細胞を、血液系細胞への分化誘導に適した条件のもと培養して得られた細胞群には、造血系細胞よりも分化段階が未成熟の細胞が含まれていると考えられる。【０１０７】
多能性幹細胞を、血液系細胞への分化誘導に適した条件のもと培養して得られた細胞群中の細胞のうち、ＣＤ３４陰性細胞群のみを含む細胞群を移植したヒツジには、移植３ヶ月後にヒト造血細胞が検出された。このことは、ＣＤ３４陰性分画に造血幹細胞が存在することを意味する。【０１０８】
実施例５：臍帯血由来の細胞群を移植したヒツジへのリンパ球の輸注
本実施例では、リンパ球をヒツジに移植した場合に、ヒツジ体内のヒト造血が亢進することを示す。
＜臍帯中のリンパ球の調製＞
臍帯血幹細胞を移植する際、通常リンパ球は不要成分として取り除くが、本実施例ではそのリンパ球を捨てずに用いた。具体的には、ヒト臍帯血からＣＤ３４陽性細胞を分離したあと、残りの細胞を凍結保存した。ＣＤ３４陽性細胞を移植したヒツジが出生した後、凍結保存した細胞を融解し、ＣＤ３／２８磁気ビーズ（Ｄｙｎａｌ）を添加したリンパ球培養培地（ヒト組換えＩＬ−２を３０Ｕ／ｍｌ添加したＲＰＭＩ−１６４０（インビトロジェン社製））で１４日間培養後、得られた細胞群を生後のヒツジへの注入に用いた。注入に用いたリンパ球には、ＮＫ細胞、γδＴ細胞及びＮＫＴ細胞が含まれている。
＜臍帯血由来の細胞群を移植したヒツジへのヒトリンパ球の輸注効果＞
臍帯由来の細胞群を移植したヒツジが出生後、４．８×１０７／ｋｇ又は１０．２×１０７／ｋｇのヒトリンパ球を静脈内投与した。そして、このヒツジから２週間に１回のペースで末梢血と骨髄を採取した。採取した試料について、ヒト造血比率（ヒトＣＦＵ率（％））を調べた。結果を図６及び表５に示す。【０１０９】
【表５】
2017038958.tif 000006
【０１１０】
投与から８週間後にヒト造血比率が上昇した。ヒト造血比率が上昇するのにヒトリンパ球の投与から８週間もの期間がかかったことなどから、リンパ球が免疫学的機序等に影響を及ぼした結果、ヒト造血幹細胞が増大したものと考えられた。【０１１１】
実施例６：ヒトｉＰＳ細胞由来細胞群を移植したヒツジへのリンパ球の輸注
本実施例では、実施例３で得られたヒトｉＰＳ細胞由来細胞群を移植したヒツジに対してリンパ球を輸注すると、ヒツジ体内のヒト造血が亢進することを示す。
＜ヒトリンパ球の調製＞
ヒトｉＰＳ細胞由来細胞を移植したヒツジが出生した後、ｉＰＳ細胞が由来した同一人物からの末梢血単核球を、ＣＤ３／２８磁気ビーズ（Ｄｙｎａｌ）を添加したリンパ球培養培地（ヒト組換えＩＬ−２を３０Ｕ／ｍｌ添加したＲＰＭＩ−１６４０［インビトロジェン社製］）で１４日間培養後、得られた細胞群を生後のヒツジへの注入に用いた。注入に用いたリンパ球には、ＮＫ細胞、γδＴ細胞及びＮＫＴ細胞が含まれる。
＜ヒトｉＰＳ細胞由来細胞群を移植したヒツジへのヒトリンパ球の輸注効果＞
ヒトｉＰＳ細胞由来細胞群を移植したヒツジが出生後、９．３×１０７／ｋｇのヒトリンパ球を静脈内投与した。そして、ヒトリンパ球の注入８週間後に、このヒツジから骨髄を採取した。採取した試料について、ヒト造血比率（ヒトＣＦＵ率［％］）を調べた。結果を表６に示す。実施例５と同様に、ヒト造血比率が上昇した。【０１１２】
【表６】
2017038958.tif 000007
［配列表］
2017038958.tif 000008
2017038958.tif 000009
2017038958.tif 000010
2017038958.tif 000011
【図１】
2017038958.tif 000012
【図２】
2017038958.tif 000013
【図３】
2017038958.tif 000014
【図４】
2017038958.tif 000015
【図５】
2017038958.tif 000016
【図６】
2017038958.tif 000017
【手続補正書】
【提出日】平成29年5月10日(2017.5.10)
【手続補正１】
【補正対象書類名】特許請求の範囲
【補正対象項目名】全文
【補正方法】変更
【補正の内容】
【特許請求の範囲】
【請求項１】
霊長類動物の多能性幹細胞の細胞群を、造血系細胞への分化誘導に適しておりＣＤ３４が発現する条件で培養し、ＣＤ３４陽性細胞を除去してＣＤ３４陰性細胞のみを含む細胞群を得る第一工程と、
前記第一工程で得た細胞群の少なくとも一部を前記霊長類動物とは異なる動物の胎仔に移植する第二工程と、
前記胎仔が出生に至って得られた仔動物を育成させて得た動物の体内から前記霊長類動物の造血系細胞を得る第三工程と、
を有する、
ここにおいて、前記霊長類動物がヒトである、
霊長類動物の造血系細胞の作製方法。
【請求項２】
前記第一工程において、霊長類動物の多能性幹細胞の細胞群を、造血系細胞への分化誘導に適した条件で２〜１２日間培養する、請求項１に記載の霊長類動物の造血系細胞の作製方法。
【請求項３】
前記第一工程において、霊長類動物の多能性幹細胞の細胞群を、造血系細胞への分化誘導に適した条件でＢｒａｃｈｙｕｒｙ、ＰＤＧＦＲα、Ｅｔｖ２、又は、Ｓｃｌの遺伝子又はタンパク質を発現する細胞が出現するまで培養する、請求項１又は２に記載の霊長類動物の造血系細胞の作製方法。
【請求項４】
前記第一工程の前に多能性幹細胞に対して遺伝子改変処理する工程を有する、請求項１〜３のいずれか１項に記載の霊長類動物の造血系細胞の作製方法。
【請求項５】
前記霊長類動物とは異なる動物が、ウシ、ブタ、ウマ、ヒツジ又は、ヤギから選択される、請求項１〜４のいずれか１項に記載の霊長類動物の造血系細胞の作製方法。
【請求項６】
前記第二工程において、前記第一工程で得た細胞群の少なくとも一部を前記霊長類動物とは異なる動物の胎仔の造血発生器官に移植する、請求項１〜５のいずれか１項に記載の霊長類動物の造血系細胞の作製方法。
【請求項７】
（削除）
【請求項８】
前記多能性幹細胞がｉＰＳ細胞である、請求項１〜６のいずれか１項に記載の霊長類動物の造血系細胞の作製方法。
【請求項９】
前記胎仔が出生に至って得られた仔動物に対して、前記キメラ非ヒト動物とは異種の動物のリンパ球を投与する、請求項１〜６及び８のいずれか１項に記載の霊長類動物の造血系細胞の作製方法。
【請求項１０】
前記第二工程の前に、前記胎仔の内因性の造血系細胞の増殖を抑制する工程をさらに含む、請求項１〜６及び８〜９のいずれか１項に記載の霊長類動物の造血系細胞の作製方法。
【請求項１１】
前記胎仔の内因性の造血細胞の増殖を抑制する工程において、化学療法剤若しくは免疫抑制剤を前記胎仔に投与する、または、放射線を前記胎仔に照射する、請求項１０に記載の霊長類動物の造血系細胞の作製方法。
【請求項１２】
前記胎仔の内因性の造血細胞の増殖を抑制する工程において、ブスルファンを前記胎仔に投与する、請求項１１に記載の霊長類動物の造血系細胞の作製方法。
【請求項１３】
霊長類動物の多能性幹細胞の細胞群を、造血系細胞への分化誘導に適しておりＣＤ３４が発現する条件で培養し、ＣＤ３４陽性細胞を除去してＣＤ３４陰性細胞のみを含む細胞群を得る第一工程と、
前記第一工程で得た細胞群の少なくとも一部を前記霊長類動物とは異なる動物の胎仔に移植する第二工程と、
前記胎仔が出生に至って得られた仔動物を育成させて前記霊長類動物の造血系細胞を生産するキメラ動物を得る第三工程と、
を有する、
ここにおいて、前記霊長類動物がヒトである、
霊長類動物の造血系細胞を生産するキメラ非ヒト動物の作製方法。
【請求項１４】
前記第一工程において、造血系細胞への分化誘導に適した条件で２〜１２日間培養する、請求項１３に記載のキメラ非ヒト動物の作製方法。
【請求項１５】
前記第一工程の前に多能性幹細胞に対して遺伝子改変処理する工程を有する、請求項１３又は１４に記載のキメラ非ヒト動物の作製方法。
【請求項１６】
（削除）
【請求項１７】
（削除）
【請求項１８】
（削除）
【請求項１９】
霊長類動物由来の造血系細胞を有するキメラ非ヒト動物に対して、前記キメラ非ヒト動物とは異種の動物のリンパ球を投与する工程を有する、キメラ非ヒト動物の体内の造血系細胞について前記霊長類動物由来の造血系細胞の比率を高める方法。
【請求項２０】
前記リンパ球が、ＭＨＣ非拘束性リンパ球である、請求項１９に記載の方法。
【請求項２１】
前記リンパ球が、ＮＫ細胞、γδＴ細胞、又はＮＫＴ細胞である、請求項２０に記載の方法。
【請求項２２】
前記キメラ非ヒト動物は、ウシ、ブタ、ウマ、ヒツジ又はヤギに対してヒト由来の造血幹細胞を移植して得たものである、請求項１９〜２１のいずれか１項に記載の方法。
【請求項２３】
請求項１９〜２２のいずれか１項に記載の方法に対し、前記キメラ動物から造血系細胞を得る工程をさらに有する、造血系細胞の作製方法。
【国際調査報告】
2017038958.tif 000018
2017038958.tif 000019
2017038958.tif 000020
2017038958.tif 000021